(57)【特許請求の範囲】
【請求項１】
無線端末と、前記無線端末と無線通信する基地局装置と、を具備し、
前記基地局装置は、
前記基地局装置が前記無線端末に送信する信号の帯域幅を第１帯域幅から前記第１帯域幅より狭い第２帯域幅に設定する場合、前記基地局装置が前記無線端末に送信する前記信号の単位帯域幅あたりの送信電力を第１送信電力から前記第１送信電力より大きい第２送信電力に設定し、前記帯域幅を前記第２帯域幅から前記第１帯域幅に設定する場合、前記送信電力を前記第２送信電力から前記第１送信電力に設定する設定部を備え、
前記無線端末は、前記設定された帯域幅の通知を受信すると共に、前記設定された単位帯域幅当りの送信電力で送信された信号を、該帯域幅を用いて受信する受信部を備え、
前記基地局装置と通信を開始するために通信要求を行った無線端末の通信品質が、前記基地局装置と通信中の前記無線端末のうち最も通信品質が悪い無線端末より悪い場合、前記設定部は、前記帯域幅を設定されていた帯域幅より狭くかつ前記送信電力を設定されていた送信電力より大きく設定し、
前記通信要求を行った無線端末の通信品質が前記最も通信品質が悪い無線端末より良い場合、前記設定部は、前記帯域幅および前記送信電力を変更しない、通信システム。
【請求項２】
無線端末と、前記無線端末と無線通信する基地局装置と、を具備し、
前記基地局装置は、
前記基地局装置が前記無線端末に送信する信号の帯域幅を第１帯域幅から前記第１帯域幅より狭い第２帯域幅に設定する場合、前記基地局装置が前記無線端末に送信する前記信号の単位帯域幅あたりの送信電力を第１送信電力から前記第１送信電力より大きい第２送信電力に設定し、前記帯域幅を前記第２帯域幅から前記第１帯域幅に設定する場合、前記送信電力を前記第２送信電力から前記第１送信電力に設定する設定部を備え、
前記無線端末は、前記設定された帯域幅の通知を受信すると共に、前記設定された単位帯域幅当りの送信電力で送信された信号を、該帯域幅を用いて受信する受信部を備え、
前記基地局装置と通信中でありかつ通信終了要求を行った無線端末の通信品質が、前記基地局装置と通信中の無線端末のうち最も通信品質が悪い無線端末である場合、前記設定部は、前記帯域幅を設定されていた帯域幅より広くかつ前記送信電力を設定されていた送信電力より小さく設定し、
前記通信終了要求を行った無線端末の通信品質が前記最も通信品質が悪い無線端末でない場合、前記設定部は、前記帯域幅および前記送信電力を変更しない、通信システム。
【請求項３】
前記基地局装置は、前記無線端末の通信品質を検出する検出部を備え、
前記設定部は、前記通信品質が第１基準品質より良い場合、前記第１帯域幅かつ第１送信電力に設定し、前記通信品質が第２基準品質より悪い場合、第２帯域幅かつ前記第２送信電力に設定する請求項１または２記載の通信システム。
【請求項４】
前記基地局装置と通信する前記無線端末が複数存在する場合、前記設定部は、最も通信品質が悪い無線端末に対応する前記帯域幅および前記送信電力を設定する請求項３記載の通信システム。
【請求項５】
前記無線端末は、第１通信モードと、前記第１通信モードより優先度の低い第２通信モードと、を備え、
前記通信要求を行った無線端末が前記第２通信モードの場合、前記通信要求を行った無線端末の通信品質が、前記通信中の無線端末のうち最も通信品質が悪い無線端末より悪い場合であっても、前記設定部は、前記帯域幅および前記送信電力を変更しない請求項１記載の通信システム。
【請求項６】
前記無線端末は、第１通信モードと、前記第１通信モードより優先度の低い第２通信モードと、を備え、
前記通信終了要求を行った無線端末以外の無線端末の少なくも１つが前記第１通信モードの場合、前記通信終了要求を行った無線端末の通信品質が前記通信中の無線端末のうち最も通信品質が悪い無線端末である場合でも、前記設定部は、前記帯域幅および前記送信電力を変更しない請求項２記載の通信システム。
【請求項７】
前記無線端末は、前記基地局装置との通信品質を前記基地局装置に送信する送信部、を備える請求項１から６のいずれか一項記載の通信システム。
【請求項８】
無線端末と無線通信する基地局装置であって、
前記基地局装置が前記無線端末に送信する信号の帯域幅を第１帯域幅から前記第１帯域幅より狭い第２帯域幅に設定する場合、前記基地局装置が前記無線端末に送信する前記信号の単位帯域幅あたりの送信電力を第１送信電力から前記第１送信電力より大きい第２送信電力に設定し、前記帯域幅を前記第２帯域幅から前記第１帯域幅に設定する場合、前記送信電力を前記第２送信電力から前記第１送信電力に設定する設定部と、
前記設定された帯域幅を前記無線端末に通知すると共に、該帯域幅を用いて前記設定された単位帯域幅あたりの送信電力で信号を送信する送信部と、
を具備し、
前記基地局装置と通信を開始するために通信要求を行った無線端末の通信品質が、前記基地局装置と通信中の前記無線端末のうち最も通信品質が悪い無線端末より悪い場合、前記設定部は、前記帯域幅を設定されていた帯域幅より狭くかつ前記送信電力を設定されていた送信電力より大きく設定し、
前記通信要求を行った無線端末の通信品質が前記最も通信品質が悪い無線端末より良い場合、前記設定部は、前記帯域幅および前記送信電力を変更しない、基地局装置。
【請求項９】
無線端末と無線通信する基地局装置であって、
前記基地局装置が前記無線端末に送信する信号の帯域幅を第１帯域幅から前記第１帯域幅より狭い第２帯域幅に設定する場合、前記基地局装置が前記無線端末に送信する前記信号の単位帯域幅あたりの送信電力を第１送信電力から前記第１送信電力より大きい第２送信電力に設定し、前記帯域幅を前記第２帯域幅から前記第１帯域幅に設定する場合、前記送信電力を前記第２送信電力から前記第１送信電力に設定する設定部と、
前記設定された帯域幅を前記無線端末に通知すると共に、該帯域幅を用いて前記設定された単位帯域幅あたりの送信電力で信号を送信する送信部と、
を具備し、
前記基地局装置と通信中でありかつ通信終了要求を行った無線端末の通信品質が、前記基地局装置と通信中の無線端末のうち最も通信品質が悪い無線端末である場合、前記設定部は、前記帯域幅を設定されていた帯域幅より広くかつ前記送信電力を設定されていた送信電力より小さく設定し、
前記通信終了要求を行った無線端末の通信品質が前記最も通信品質が悪い無線端末でない場合、前記設定部は、前記帯域幅および前記送信電力を変更しない、基地局装置。
【請求項１０】
無線端末と、前記無線端末と無線通信する基地局装置を具備する通信システムの制御方法であって、
前記基地局装置が前記無線端末に送信する信号の帯域幅を第１帯域幅から前記第１帯域幅より狭い第２帯域幅に設定する場合、前記基地局装置が前記無線端末に送信する前記信号の単位帯域幅あたりの送信電力を第１送信電力から前記第１送信電力より大きい第２送信電力に設定し、前記帯域幅を前記第２帯域幅から前記第１帯域幅に設定する場合、前記送信電力を前記第２送信電力から前記第１送信電力に設定するステップと、
前記無線端末は、前記設定された帯域幅の通知を受信すると共に、前記設定された単位帯域幅当りの送信電力で送信された信号を、該帯域幅を用いて受信するステップと、
を含み、
前記基地局装置と通信を開始するために通信要求を行った無線端末の通信品質が、前記基地局装置と通信中の前記無線端末のうち最も通信品質が悪い無線端末より悪い場合、前記基地局装置は、前記帯域幅を設定されていた帯域幅より狭くかつ前記送信電力を設定されていた送信電力より大きく設定し、
前記通信要求を行った無線端末の通信品質が前記最も通信品質が悪い無線端末より良い場合、前記基地局装置は、前記帯域幅および前記送信電力を変更しない、通信システムの制御方法。
【請求項１１】
無線端末と、前記無線端末と無線通信する基地局装置を具備する通信システムの制御方法であって、
前記基地局装置が前記無線端末に送信する信号の帯域幅を第１帯域幅から前記第１帯域幅より狭い第２帯域幅に設定する場合、前記基地局装置が前記無線端末に送信する前記信号の単位帯域幅あたりの送信電力を第１送信電力から前記第１送信電力より大きい第２送信電力に設定し、前記帯域幅を前記第２帯域幅から前記第１帯域幅に設定する場合、前記送信電力を前記第２送信電力から前記第１送信電力に設定するステップと、
前記無線端末は、前記設定された帯域幅の通知を受信すると共に、前記設定された単位帯域幅当りの送信電力で送信された信号を、該帯域幅を用いて受信するステップと、
を含み、
前記基地局装置と通信中でありかつ通信終了要求を行った無線端末の通信品質が、前記基地局装置と通信中の無線端末のうち最も通信品質が悪い無線端末である場合、前記基地局装置は、前記帯域幅を設定されていた帯域幅より広くかつ前記送信電力を設定されていた送信電力より小さく設定し、
前記通信終了要求を行った無線端末の通信品質が前記最も通信品質が悪い無線端末でない場合、前記基地局装置は、前記帯域幅および前記送信電力を変更しない、通信システムの制御方法。
【発明の詳細な説明】
【技術分野】
【０００１】
本発明は、基地局装置、通信システムおよび通信システムの制御方法に関する。
【背景技術】
【０００２】
無線通信システムにおいて、無線端末は、基地局の圏内で基地局と無線通信を行なう。基地局は無線端末と通信する帯域幅および送信電力を設定する。
【０００３】
例えば、無線端末から基地局に送信する帯域幅と送信電力を変更する技術が知られている（例えば、特許文献１）。また、セルの半径を変更可能とするフェムト基地局が知られている（例えば、特許文献２）。
【先行技術文献】
【特許文献】
【０００４】
【特許文献１】特開２００７−２６２０５６号公報
【特許文献２】特開２００９−１３０７４０号公報
【発明の概要】
【発明が解決しようとする課題】
【０００５】
基地局装置の中には、送信電力の上限が例えば法令等で定められる場合がある。このように、基地局装置の送信電力の上限が抑制されている場合、基地局装置から無線端末に送信する信号の帯域幅および単位帯域幅当りの送信電力を適切にすることが求められる。
【０００６】
基地局装置、通信システムおよび通信システムの制御方法は、適切な帯域幅および単位帯域幅当りの送信電力を設定することを目的とする。
【課題を解決するための手段】
【０００７】
例えば、無線端末と、前記無線端末と無線通信する基地局装置と、を具備し、前記基地局装置は、前記基地局装置が前記無線端末に送信する信号の帯域幅を第１帯域幅から前記第１帯域幅より狭い第２帯域幅に設定する場合、前記基地局装置が前記無線端末に送信する前記信号の単位帯域幅あたりの送信電力を第１送信電力から前記第１送信電力より大きい第２送信電力に設定し、前記帯域幅を前記第２帯域幅から前記第１帯域幅に設定する場合、前記送信電力を前記第２送信電力から前記第１送信電力に設定する設定部を備え、前記無線端末は、前記設定された帯域幅の通知を受信すると共に、前記設定された単位帯域幅当りの送信電力で送信された信号を、該帯域幅を用いて受信する受信部を備え、前記基地局装置と通信を開始するために通信要求を行った無線端末の通信品質が、前記基地局装置と通信中の前記無線端末のうち最も通信品質が悪い無線端末より悪い場合、前記設定部は、前記帯域幅を設定されていた帯域幅より狭くかつ前記送信電力を設定されていた送信電力より大きく設定し、前記通信要求を行った無線端末の通信品質が前記最も通信品質が悪い無線端末より良い場合、前記設定部は、前記帯域幅および前記送信電力を変更しない、通信システムを用いる。
【０００８】
例えば、前記基地局装置が前記無線端末に送信する信号の帯域幅を第１帯域幅から前記第１帯域幅より狭い第２帯域幅に設定する場合、前記基地局装置が前記無線端末に送信する前記信号の単位帯域幅あたりの送信電力を第１送信電力から前記第１送信電力より大きい第２送信電力に設定し、前記帯域幅を前記第２帯域幅から前記第１帯域幅に設定する場合、前記送信電力を前記第２送信電力から前記第１送信電力に設定する設定部と、前記設定された帯域幅を前記無線端末に通知すると共に、該帯域幅を用いて前記設定された単位帯域幅あたりの送信電力で信号を送信する送信部と、を具備し、前記基地局装置と通信を開始するために通信要求を行った無線端末の通信品質が、前記基地局装置と通信中の前記無線端末のうち最も通信品質が悪い無線端末より悪い場合、前記設定部は、前記帯域幅を設定されていた帯域幅より狭くかつ前記送信電力を設定されていた送信電力より大きく設定し、前記通信要求を行った無線端末の通信品質が前記最も通信品質が悪い無線端末より良い場合、前記設定部は、前記帯域幅および前記送信電力を変更しない、基地局装置を用いる。
【０００９】
例えば、無線端末と、前記無線端末と無線通信する基地局装置を具備する通信システムの制御方法であって、前記基地局装置が前記無線端末に送信する信号の帯域幅を第１帯域幅から前記第１帯域幅より狭い第２帯域幅に設定する場合、前記基地局装置が前記無線端末に送信する前記信号の単位帯域幅あたりの送信電力を第１送信電力から前記第１送信電力より大きい第２送信電力に設定し、前記帯域幅を前記第２帯域幅から前記第１帯域幅に設定する場合、前記送信電力を前記第２送信電力から前記第１送信電力に設定するステップと、前記無線端末は、前記設定された帯域幅の通知を受信すると共に、前記設定された単位帯域幅当りの送信電力で送信された信号を、該帯域幅を用いて受信するステップと、を含み、前記基地局装置と通信を開始するために通信要求を行った無線端末の通信品質が、前記基地局装置と通信中の前記無線端末のうち最も通信品質が悪い無線端末より悪い場合、前記基地局装置は、前記帯域幅を設定されていた帯域幅より狭くかつ前記送信電力を設定されていた送信電力より大きく設定し、前記通信要求を行った無線端末の通信品質が前記最も通信品質が悪い無線端末より良い場合、前記基地局装置は、前記帯域幅および前記送信電力を変更しない、通信システムの制御方法を用いる。
【発明の効果】
【００１０】
本基地局装置、通信システムおよび通信システムの制御方法によれば、適切な帯域幅および単位帯域幅当りの送信電力を設定することができる。
【図面の簡単な説明】
【００１１】
【図１】図１は、実施例１に係る通信システムを含むシステムを示すブロック図である。
【図２】図２（ａ）から図２（ｄ）は、実施例１の基地局装置および無線端末を示すブロック図である。
【図３】図３（ａ）から図３（ｆ）は、基地局装置が設定する帯域幅と単位帯域幅当りの送信電力を示す模式図である。
【図４】図４は、実施例１の基地局装置が行なう処理を示すフローチャートである。
【図５】図５は、実施例２の基地局装置を示すブロック図である。
【図６】図６は、実施例２の無線端末を示すブロック図である。
【図７】図７は、実施例２における基地局装置の状態を示す図である。
【図８】図８（ａ）から図８（ｄ）は、実施例２において無線端末が基地局装置に通信要求を送信する場合を示す模式図である。
【図９】図９（ａ）から図９（ｃ）は、実施例２において複数の無線端末が基地局装置に通信要求を送信する場合を示す模式図である。
【図１０】図１０は、実施例２において無線端末が基地局装置に通信要求する場合のシーケンス図である。
【図１１】図１１は、図１０のステップＳ１８における基地局装置が行なう処理を示すフローチャートである。
【図１２】図１２は、図１１のステップＳ３２における基地局装置が行なう処理を示すフローチャートである。
【図１３】図１３は、実施例２において通信中の無線端末が基地局装置に通信終了要求する場合のシーケンス図である。
【図１４】図１４（ａ）から図１４（ｄ）は、実施例３において基地局装置２０が無線端末１０ａと通信中に、別の無線端末１０ｂが基地局装置２０に通信要求する場合の例を示す模式図である。
【図１５】図１５（ａ）から図１５（ｄ）は、実施例３において基地局装置２０が無線端末１０ａと通信中に、別の無線端末１０ｂが基地局装置２０に通信要求する場合の例を示す別の模式図である。
【図１６】図１６（ａ）から図１６（ｄ）は、実施例３において基地局装置２０が無線端末１０ａと通信中に、別の無線端末１０ｂが基地局装置２０に通信要求する場合の例を示すさらに別の模式図である。
【図１７】図１７は、実施例３における基地局装置２０および無線端末１０ａおよび１０ｂのシーケンス図である。
【図１８】図１８は、図１７のステップＳ１８において基地局装置２０が行なう処理を示すフローチャートである。
【図１９】図１９（ａ）から図１９（ｄ）は、実施例４において基地局装置２０が無線端末１０ｃおよび１０ｄと通信中に、無線端末１０ｄが基地局装置２０に通信終了要求する場合の例を示す模式図である。
【図２０】図２０（ａ）から図２０（ｄ）は、実施例４において基地局装置２０が無線端末１０ｃおよび１０ｄと通信中に、無線端末１０ｄが基地局装置２０に通信終了要求する場合の例を示す別の模式図である。
【図２１】図２１（ａ）から図２１（ｄ）は、実施例４において基地局装置２０が無線端末１０ｃおよび１０ｄと通信中に、無線端末１０ｄが基地局装置２０に通信終了要求する場合の例を示すさらに別の模式図である。
【図２２】図２２は、実施例４における基地局装置２０および無線端末１０ｃおよび１０ｄのシーケンス図である。
【図２３】図２３は、図２２のステップＳ３４における基地局装置の処理を示すフローチャートである。
【発明を実施するための形態】
【００１２】
以下、図面を参照に実施例を説明する。
【実施例１】
【００１３】
実施例１は、フェムトセルシステムの例である。フェムトセルシステムは、マクロ基地局の無線通信エリアとエリアが重なりマクロ基地局よりエリアの狭いフェムト基地局を設置するシステムである。フェムト基地局を用いることにより、マクロ基地局だけを設置した場合に生じる電波不感エリアを解消することや、より無線通信エリアを拡大することができる。このため、加入者宅やビル等の建物内に小型のフェムト基地局を設置する。フェムトセルシステムは、例えば３ＧＰＰ（３rd Generation Partnership Project）  ＴＳ  ２２．２２０  ｖｅｒ９１１に規定されている。
【００１４】
図１は、実施例１に係る通信システムを含むシステムを示すブロック図である。図１のように、基地局装置３０のセルＣ０内に基地局装置２０が配置されている。基地局装置３０は、例えばマクロ基地局であり、基地局装置２０は、例えばフェムト基地局である。無線端末１０（ＵＥ：User Equipment）は、セルＣ０内で基地局装置３０と通信Ｒ０を行なうことがきる。また、無線端末１０は、基地局装置２０のセルＣ１内で基地局装置２０と通信Ｒ１を行なうことができる。例えばフェムト基地局のような小規模な基地局装置２０では、圏内（セルＣ１内）に存在する無線端末１０は少数であることが想定される。基地局装置２０は、ネットワークＮ１を介しネットワークＮ０に接続されている。基地局装置３０は、ネットワークＮ０と接続されている。ネットワークＮ０には、他のネットワーク等を介し、例えば無線端末が接続されている。または、例えばアプリケーションサーバが接続されている。ネットワークＮ１は、例えばインターネットワークであり、ネットワークＮ０は、例えば通信システムのキャリアのネットワークである。
【００１５】
図２（ａ）および図２（ｂ）は、実施例１のそれぞれ基地局装置および無線端末を示す機能ブロック図である。図２（ａ）のように、基地局装置２０は、送信部２２、受信部２４、検出部２６および設定部２８を備えている。送信部２２は、無線端末１０に信号を送信する。受信部２４は、無線端末１０から信号を受信する。検出部２６は、基地局装置２０の圏内の基地局装置２０と通信中の無線端末１０における基地局装置２０からの通信品質を検出する。設定部２８は、検出部２６の検出結果に基づき、無線端末１０に送信する信号の帯域幅および単位帯域幅当りの送信電力を設定する。
【００１６】
図２（ｂ）のように、無線端末１０は、受信部１２、送信部１４および測定部１６を備えている。受信部１２は、基地局装置２０から信号を受信する。送信部１４は、基地局装置２０に信号を送信する。測定部１６は、基地局装置２０から受信した信号に基づき通信品質を測定する。例えば、測定部１６は、基地局装置２０から送信されたパイロット信号の受信電力を測定することにより、通信品質を測定する。測定部１６は、測定した通信品質に関する情報を基地局装置２０に送信する。例えば、無線端末１０が基地局装置２０から遠い場合、基地局装置２０から無線端末１０への電波の伝搬路における損失が大きくなる。このため、通信品質が悪くなる。一方、例えば、無線端末１０が基地局装置２０に近い場合、電波の伝搬路における損失は小さくなる。このため、通信品質が良くなる。
【００１７】
例えば、フェムト基地局において、最大送信電力は、他の電子機器への影響を抑制するため法令で定められる場合がある。最大送信電力は、例えば数１０ｍＷである。そこで、実施例１では、最大送信電力は変更せず、設定部２８が帯域幅と単位帯域幅当りの送信電力とを適切に設定する。
【００１８】
図２（ｃ）および図２（ｄ）は、実施例１のそれぞれ基地局装置および無線端末を示すブロック図である。図２（ｃ）のように、基地局装置２０は、受信機１２２、送信機１２４、信号処理回路１２６およびコントローラ１２８を備えている。受信機１２２は、無線端末１０から信号を受信する受信部２４として機能する。送信機１２４は、無線端末１０へ信号を送信する送信部２２として機能する。信号処理回路１２６は、受信機１２２において受信した信号、および送信機１２４から送信する信号を処理する。コントローラ１２８は、信号処理回路１２６および送信機１２４を制御する。信号処理回路１２６およびコントローラ１２８は、検出部２６および設定部２８として機能する。
【００１９】
図２（ｄ）のように、無線端末１０は、受信機１１２、送信機１１４、信号処理回路１１６およびコントローラ１１８を備えている。受信機１１２は、基地局装置２０から信号を受信する受信部１２として機能する。送信機１１４は、基地局装置２０へ信号を送信する送信部１４として機能する。信号処理回路１１６は、受信機１１２において受信した信号、および送信機１１４から送信する信号を処理する。コントローラ１１８は、信号処理回路１１６および送信機１１４を制御する。信号処理回路１１６およびコントローラ１１８は、測定部１６として機能する。
【００２０】
図３（ａ）から図３（ｆ）は、基地局装置が設定する帯域幅と単位帯域幅当りの送信電力を示す模式図である。ここで、帯域幅は、例えば基地局装置２０が無線端末１０の送信する信号の帯域幅である。単位帯域幅当りの送信電力は、例えば基地局装置２０が無線端末１０に送信する単位帯域幅当りの送信電力である。図３（ａ）のように、基地局装置２０が単位帯域幅当りの送信電力Ｐを大きくするモードでは、図３（ｄ）のように、基地局装置２０は、無線端末１０の送信する信号の帯域幅を狭くする。図３（ｂ）のように、基地局装置２０が単位帯域幅当りの送信電力Ｐを小さくするモードでは、図３（ｅ）のように、基地局装置２０は、無線端末１０の送信する信号の帯域幅を広くする。図３（ｃ）のように、基地局装置２０が単位帯域幅当りの送信電力Ｐをさらに小さくするモードでは、図３（ｆ）のように、基地局装置２０は、無線端末１０の送信する信号の帯域幅をさらに広くする。
【００２１】
図３（ａ）および図３（ｄ）のように、単位帯域幅当りの送信電力が大きい場合、無線端末１０と基地局装置２０との通信品質を向上させることができる。しかし、帯域幅が狭いため、信号の伝送レートは低くなる。一方、図３（ｃ）および図３（ｆ）のように、帯域幅が広い場合、無線端末１０への信号の伝送レートを高くできる。しかし、単位帯域幅当りの送信電力が小さいため、通信品質は低下する。実施例１では、設定部２８が帯域幅および送信電力を適切に設定する。帯域幅は、例えば２０ＭＨｚ、１５ＭＨｚ、１０ＭＨｚおよび５ＭＨｚとすることがきる。例えば、帯域幅が２０ＭＨｚのときの単位帯域幅当りの送信電力は、帯域幅が５ＭＨｚのときの１／４とすることができる。同様に、例えば、帯域幅が２０ＭＨｚのときの単位帯域幅当りの送信電力は、帯域幅が１０ＭＨｚのときの１／２とすることができる。
【００２２】
図４は、実施例１の基地局装置が行なう処理を示すフローチャートである。例えば、設定部２８は、帯域幅および単位帯域幅当りの送信電力を図３（ｅ）のように設定している。図４を参照し、基地局装置２０の検出部２６は、無線端末１０が測定した通信品質に関する情報を検出する（ステップＳ１００）。設定部２８は、通信品質が良いか判断する（ステップＳ１０２）。例えば、通信品質が第１の基準品質より良い場合、設定部２８はＹｅｓ、悪い場合Ｎｏと判断する。Ｙｅｓの場合、設定部２８は、帯域幅を拡大し、単位帯域幅当りの送信電力を小さくする（ステップＳ１０４）。例えば、設定部２８は、帯域幅および単位帯域幅当りの送信電力を図３（ｆ）のように設定する。ステップＳ１０２においてＮｏの場合、設定部２８は、通信品質が悪いか判断する（ステップＳ１０６）。例えば、通信品質が第２の基準品質より悪い場合、設定部２８はＹｅｓと判断する。ここで、第２の基準品質は第１の基準品質より小さい値とすることができる。ステップＳ１０６においてＹｅｓの場合、設定部２８は、帯域幅を縮小し、単位帯域幅当りの送信電力を大きくする（ステップＳ１０８）。例えば、設定部２８は、帯域幅および単位帯域幅当りの送信電力を図３（ｄ）のように設定する。ステップＳ１０６においてＮｏの場合、設定部２８は帯域幅および単位帯域幅当りの送信電力を変更しない（ステップＳ１１０）。例えば、設定部２８は帯域幅および単位帯域幅当りの送信電力を図３（ｅ）の状態に維持する。
【００２３】
なお、図１の基地局装置３０においても、予め設定された大域幅と、通信品質に基づいた送信電力とで、信号を送信することができる。
【００２４】
実施例１によれば、図４のステップＳ１０２からＳ１１０のように、設定部２８は、検出部２６の通信品質の検出結果に基づき、帯域幅と単位帯域幅当りの送信電力とを設定する。このとき、帯域幅を狭く設定する場合、単位帯域幅当りの送信電力を大きく設定し、帯域幅を広く設定する場合、単位帯域幅当りの送信電力を小さく設定する。つまり、設定部２８は、帯域幅を第１帯域幅から第１帯域幅より狭い第２帯域幅に設定する場合、単位帯域幅当りの送信電力を第１送信電力から第１送信電力より大きい第２送信電力に設定する。一方、設定部２８は、帯域幅を第２帯域幅から第１帯域幅に設定する場合、単位帯域幅当りの送信電力を第２送信電力から第１送信電力に設定する。これにより、基地局装置２０の限られた送信電力の中で帯域幅と単位帯域幅当りの送信電力を適切に設定することができる。例えば、通信品質が悪い場合は、帯域幅を狭くしかつ単位帯域幅当りの送信電力を大きく設定する。つまり、設定部２８は、第２帯域幅および第２送信電力に設定する。これにより、信号の伝送レートは悪くなるものの通信品質を向上させることができる。一方、通信品質が良い場合は、帯域幅を広くしかつ単位帯域幅当りの送信電力を小さくする。つまり、設定部２８は、第１帯域幅および第１送信電力に設定する。基地局装置２０の送信部２２は、設定された帯域幅を無線端末１０に通知すると共に、域幅を用いて設定された単位帯域幅あたりの送信電力で信号を送信する。一方、無線端末１０の受信部１２は、設定された帯域幅の通知を受信すると共に、設定された単位帯域幅当りの送信電力で送信された信号を、帯域幅を用いて受信する。これにより、通信品質が満足できる範囲で伝送レートを向上させることができる。
【００２５】
特に、設定部２８が、帯域幅と単位帯域幅当りの送信電力との積が一定になるように帯域幅と単位帯域幅当りの送信電力を設定することが好ましい。これにより、帯域幅と単位帯域幅当りの送信電力との積である送信電力を規定された最大限で、帯域幅と単位帯域幅当りの送信電力とを適切に設定することができる。
【実施例２】
【００２６】
実施例２は、実施例１の具体的な例である。図５は、実施例２の基地局装置を示すブロック図である。図５を参照し、通信部３２は、アンテナ３３を介し無線端末１０に信号を送受信する。通信部３２は、送信信号を符号化、変調、アナログ化および高周波信号へのアップコンバートを行なう。また、通信部３２は、受信信号をベースバンド信号へのダウンコンバート、デジタル化、復調、復号化を行なう。実施例１の送信部２２および受信部２４は、例えば通信部３２に対応する。電力設定部３４は、通信部３２が送信する単位帯域幅当りの送信電力を設定する。抽出部４２は、受信信号中の伝搬路品質報告に関する情報を抽出する。実施例１の検出部２６は、抽出部４２に対応し、通信品質は、例えば伝搬路の品質に対応する。
【００２７】
帯域幅制御部３６は、抽出部４２が抽出した伝搬路品質報告に基づき、無線端末１０に送信する帯域幅と単位帯域幅当りの送信電力を設定する。実施例１の設定部２８は、例えば、帯域幅制御部３６に対応する。帯域幅通知部４０は、帯域幅制御部３６の指示により、無線端末１０に帯域幅の変更を通知する。制御部３８は、通信の接続処理および接続状態を管理する。例えば、帯域幅制御部３６に通信中の無線端末１０の数および状態を通知する。報告設定部４４は、無線端末１０に伝搬品質の報告させるための情報を設定する。また、報告設定部４４は、帯域幅通知部４０が通知する帯域幅を設定する。
【００２８】
図６は、実施例２の無線端末を示すブロック図である。図６を参照し、通信部５２は、アンテナ５０を介し基地局装置２０に信号を送受信する。実施例１の受信部１２および送信部１４は、例えば通信部５２に対応する。抽出部５４は、受信信号中の伝搬路品質を報告する設定に関する情報および帯域幅に関する情報を抽出する。品質測定部６０は、抽出部５４が抽出した伝搬路品質を測定するための設定情報を用い、伝搬路品質を測定する。報告生成部６２は、測定した伝搬路品質に関する情報を生成する。制御部５８は、通信の接続処理および接続状態を管理する。帯域幅受信部５６は、抽出部５４が抽出した帯域幅に関する情報を受信し、帯域幅を設定する。
【００２９】
図７は、実施例２における基地局装置の状態を示す図である。状態Ａは休止状態である。休止状態においては、無線端末１０は、基地局装置２０の圏内（セルＣ１内）に存在していない。この状態では、基地局装置２０は送信を停止している。状態Ｂは待ち受け状態である。状態Ｂにおいては、基地局装置２０の圏内に無線端末１０が存在するが、基地局装置２０と通信中の無線端末１０は存在しない。この状態では、設定部２８は、帯域幅を最小とし、単位帯域幅当りの送信電力を最大とする。状態Ｃは、設定中の状態である。状態Ｂにおいて、無線端末１０が基地局装置２０に通信要求を行なうと、基地局装置２０は、帯域幅および送信電力を設定する。状態Ｄは通信状態である。状態Ｃにおいて、帯域幅および送信電力の設定が終了すると、無線端末１０と基地局装置２０とは通信状態となる。状態Ｄにおいて、無線端末１０が通信終了を要求すると、状態Ｂとなり、基地局装置２０は待ち受け状態となる。状態Ｂにおいて、無線端末１０が圏外に移動すると状態Ａの休止状態となる。
【００３０】
図８（ａ）から図８（ｄ）は、実施例２において無線端末１０が基地局装置２０に通信要求を送信する場合を示す模式図である。図８（ａ）においては、無線端末１０は基地局装置２０に近い。このため、通信品質が良い。よって、図８（ｃ）のように、帯域幅制御部３６は無線端末１０への送信の帯域幅を広くし、単位帯域幅当りの送信電力を小さくする。図８（ｂ）においては、無線端末１０は基地局装置２０から遠い。このため、通信品質が悪い。よって、図８（ｄ）のように、帯域幅制御部３６は無線端末１０への送信の帯域幅を狭くし、単位帯域幅当りの送信電力を大きくする。
【００３１】
図９（ａ）から図９（ｃ）は、実施例２において複数の無線端末１０が基地局装置２０に通信要求を送信する場合を示す模式図である。図９（ａ）のように、基地局装置２０の圏内に無線端末１０ａおよび１０ｂが存在する。図９（ｂ）のように、無線端末１０ａおよび１０ｂが通信要求を基地局装置２０に送信すると、帯域幅制御部３６は、通信品質の悪い無線端末１０ａまたは１０ｂに対応するように単位帯域幅当りの送信電力を設定する。図９（ｂ）では、無線端末１０ａが基地局装置２０から遠いため、無線端末１０ａとの通信品質が維持できるように単位帯域幅当りの送信電力を設定する。図９（ｃ）のように、帯域幅制御部３６は単位帯域幅当りの送信電力を大きく設定するため、帯域幅を狭く設定する。
【００３２】
図１０は、実施例２において無線端末が基地局装置に通信要求する場合のシーケンス図である。すなわち、基地局装置２０が図５の状態Ｂから状態Ｃを経て状態Ｄとなる場合のシーケンス図である。基地局装置２０は図５の状態Ｂのように待ち受け状態である（ステップＳ１０）。無線端末１０の通信部５２が基地局装置２０に通信要求する（ステップＳ１２）。基地局装置２０の通知部３２は、接続応答を送信するとともに、伝搬測定の設定を通知する（ステップＳ１４）。無線端末１０の品質測定部６０は、通信品質を測定する。無線端末１０の通信部５２は、通信品質の測定結果を基地局装置２０の送信する（ステップＳ１６）。例えば、無線端末１０の送信部１４は、基地局装置２０との通信品質を基地局装置２０に送信する。基地局装置２０の帯域幅制御部３６は、通信品質に基づき送信信号の帯域幅および単位帯域幅当りの送信電力を設定する（ステップＳ１８）。基地局装置２０の通知部５２は、無線端末１０に帯域幅を通知する（ステップＳ２０）。無線端末１０への帯域幅は、例えば、複数の無線端末への共通のシステム情報として送信される。基地局装置２０は、設定が完了したか判断する（ステップＳ２２）。Ｎｏの場合、ステップＳ１８に戻る。ステップＳ２０においてＹｅｓの場合、基地局装置２０の通信部５２は、通信設定の開始を無線端末１０に送信する（ステップＳ２４）。無線端末１０の通信部３２は、通信設定完了を基地局装置２０に送信する（ステップＳ２６）。基地局装置２０と無線端末１０とは、設定された送信帯域幅および単位帯域幅当りの送信電力で無線端末１０と通信を行なう（ステップＳ２８）。
【００３３】
図１１は、図１０のステップＳ１８における基地局装置が行なう処理を示すフローチャートである。図１１のように、基地局装置２０の抽出部４２は、全ての無線端末１０から通信品質を検出する（ステップＳ３０）。帯域幅制御部３６は、通信品質に基づき、帯域幅および単位帯域幅当りの送信電力を設定する（ステップＳ３２）。
【００３４】
図１２は、図１１のステップＳ３２における基地局装置が行なう処理を示すフローチャートである。帯域幅制御部３６は、Ｎ＝０とする（ステップＳ４０）。ここで、Ｎは、以下で帯域幅を変更した回数を示す自然数である。帯域幅制御部３６は、ＮがＭＡＸ以上か判断する（ステップＳ４２）。ここで、ＭＡＸは帯域幅を変更する最大数である。例えば、帯域幅を２０ＭＨｚ、１５ＭＨｚ、１０ＭＨｚおよび５ＭＨｚと４段階に設定できる場合、ＭＡＸを４とすることができる。ステップＳ４２においてＮｏの場合、抽出部４２は、無線端末１０の通信品質を検出する（ステップＳ４３）。例えば、全ての無線端末１０から通信品質を受信する。
【００３５】
帯域幅制御部３６は、複数の無線端末１０のうち最も悪い通信品質Ｗを抽出する（ステップＳ４４）。帯域幅制御部３６は、ＷがＴＨｕｐ以上か判断する（ステップＳ４６）。ここで、Ｔｈｕｐは帯域幅を１ランク拡大するしきい値である。Ｙｅｓの場合、帯域幅制御部３６は、送信部２２が無線端末１０に送信する帯域幅を１ランク広げる。例えば、これまでの帯域幅が５ＭＨｚであった場合、帯域幅を１０ＭＨｚとする。設定部２８は、帯域幅の拡大に対応し単位帯域幅当りの送信電力を小さくする。
【００３６】
ステップＳ４６においてＮｏの場合、帯域幅制御部３６は、ＷがＴｈｄｏｗｎ以下か判断する（ステップＳ４８）。ここで、Ｔｈｄｏｗｎは帯域幅を１ランク縮小するしきい値である。Ｙｅｓの場合、帯域幅制御部３６は、通信部３２が無線端末１０に送信する帯域幅を１ランク縮小する。例えば、これまでの帯域幅が２０ＭＨｚであった場合、帯域幅を１５ＭＨｚとする。帯域幅制御部３６は、帯域幅の縮小に対応し単位帯域幅当りの送信電力を大きくする。ステップＳ４８においてＮｏの場合、帯域幅制御部３６は、帯域幅および単位帯域幅当りの送信電力の変更を行わない（ステップＳ５２）。
【００３７】
帯域幅制御部３６は帯域幅通知部４０を介し、全ての無線端末１０に帯域幅および単位帯域幅当りの送信電力を通知する（ステップＳ５６）。帯域幅制御部３６はＮをインクリメントする（ステップＳ５８）。帯域幅制御部３６は、無線端末１０から帯域幅の設定を受信する。これにより、帯域幅および単位帯域幅当りの送信電力が設定される（ステップＳ６０）。ステップＳ４２に戻る。ステップＳ４２においてＹｅｓの場合終了する。このように、ステップＳ４２からＳ６０をＭＡＸ回行なうことにより、帯域幅および単位帯域幅当りの送信電力が設定される。なお、ステップＳ５２を通過していれば、ＮがＭＡＸより小さくともステップＳ４２においてＹｅｓと判断してもよい。
【００３８】
図１２のように、圏内に無線端末１０が複数存在する場合、帯域幅制御部３６は、最も通信品質が悪い無線端末に対応する帯域幅および前記送信電力に設定する。これにより、圏内の全ての無線端末１０の通信品質を確保することができる。
【００３９】
図１３は、実施例２において通信中の無線端末が基地局装置に通信終了要求する場合のシーケンス図である。すなわち、基地局装置２０が図５の状態Ｄから状態Ｂとなる場合のシーケンス図である。図１３を参照し、無線端末１０は基地局装置２０と通信を行っている（ステップＳ１８）。例えば、無線端末１０は、基地局装置２０に通信品質の測定結果を報告する（ステップＳ１６）。無線端末１０は、基地局装置２０に通信終了要求を送信する（ステップＳ３０）。基地局装置２０は、無線端末１０に通信終了の応答を送信する（ステップＳ３２）。基地局装置２０の帯域幅制御部３６は、設定の確認として、他の無線端末１０が接続されていないことを確認する（ステップＳ３４）。帯域幅制御部３６は、帯域幅を最も狭くし、単位帯域幅当りの送信電力を最も大きくする（ステップＳ３６）。この状態で、基地局装置２０は待ち受け中となる（ステップＳ３８）。待ち受け状態においては、基地局装置２０は、圏内の無線端末１０の通信品質を認識できない。しかし、基地局装置２０は圏内の未接続の無線端末１０に間欠的に信号を送信する。そこで、帯域幅制御部３６は、単位帯域幅当りの送信電力を最大とする。これにより、圏内の未接続の無線端末１０に間欠的な信号を送信することができる。
【実施例３】
【００４０】
実施例３は、基地局装置２０が１または複数の無線端末１０ａと通信中に、別の無線端末１０ｂが基地局装置２０に通信要求した場合の例である。基地局装置２０および無線端末１０のブロック図は実施例２と同じであり説明を省略する。
【００４１】
図１４（ａ）から図１４（ｄ）は、実施例３において基地局装置２０が無線端末１０ａと通信中に、別の無線端末１０ｂが基地局装置２０に通信要求する場合の例を示す模式図である。図１４（ａ）を参照し、無線端末１０ａが基地局装置２０と通信を行っている。無線端末１０ａは無線端末１０ｂより基地局装置２０から遠くに位置している。無線端末１０ｂは、基地局装置２０と通信を行っていない。無線端末１０ａが基地局装置２０から遠いため、図１４（ｃ）のように、帯域幅制御部３６は、帯域幅を狭くし、単位帯域幅当りの送信電力を大きく設定している。
【００４２】
図１４（ｂ）を参照し、無線端末１０ｂが基地局装置２０に通信要求を送信する。無線端末１０ａの方が無線端末１０ｂより基地局装置２０から遠いため、無線端末１０ａの通信品質は無線端末１０ｂより悪い。よって、図１４（ｄ）のように、帯域幅制御部３６は、帯域幅を狭くし、単位帯域幅当りの送信電力を大きい設定のまま維持する。
【００４３】
図１５（ａ）から図１５（ｄ）は、実施例３において基地局装置２０が無線端末１０ａと通信中に、別の無線端末１０ｂが基地局装置２０に通信要求する場合の例を示す別の模式図である。図１５（ａ）を参照し、無線端末１０ａは無線端末１０ｂより基地局装置２０の近くに位置している。無線端末１０ｂは、基地局装置２０と通信は行っていない。無線端末１０ｂが基地局装置２０に近いため、図１５（ｃ）のように、帯域幅制御部３６は、帯域幅を広くし、単位帯域幅当りの送信電力を小さく設定している。
【００４４】
図１５（ｂ）を参照し、無線端末１０ｂが基地局装置２０に通信要求を送信する。無線端末１０ｂの方が無線端末１０ａより基地局装置２０から遠いため、無線端末１０ｂの通信品質は無線端末１０ａより悪い。よって、図１５（ｄ）のように、帯域幅制御部３６は、帯域幅を狭くし、単位帯域幅当りの送信電力を大きく設定する。
【００４５】
図１６（ａ）から図１６（ｄ）は、実施例３において基地局装置２０が無線端末１０ａと通信中に、別の無線端末１０ｂが基地局装置２０に通信要求する場合の例を示すさらに別の模式図である。図１６（ａ）および図１６（ｃ）は図１５（ａ）および図１５（ｃ）と同じであり説明を省略する。すなわち、図１６（ｃ）のように、帯域幅制御部３６は、帯域幅を広くし、単位帯域幅当りの送信電力を小さく設定している。
【００４６】
図１６（ｂ）を参照し、無線端末１０ｂが基地局装置２０に通信要求を送信する。しかし、基地局装置２０は、無線端末１０ｂの接続を許可しない。よって、図１５（ｄ）のように、帯域幅制御部３６は、帯域幅を広くし、単位帯域幅当りの送信電力を小さくした設定を維持する。
【００４７】
図１７は、実施例３における基地局装置２０および無線端末１０ａおよび１０ｂのシーケンス図である。無線端末１０ａと基地局装置２０とが通信中である（ステップＳ７０）。無縁端末１０ｂは基地局装置２０に通信要求を送信する（ステップＳ１２）。ステップＳ１４からＳ１８は実施例２の図１０と同じであり説明を省略する。ステップＳ２０において、基地局装置２０は、帯域幅通知を無線端末１０ａおよび１０ｂに行なう。ステップＳ２２の後、基地局装置２０は無線端末１０ａと通信を再開する（ステップＳ７２）。ステップＳ２６およびＳ２８は図１０と同じ処理であり説明を省略する。
【００４８】
図１８は、図１７のステップＳ１８において基地局装置２０が行なう処理を示すフローチャートである。抽出部４２は、現在接続中の無線端末１０ａ（好ましくは全ての無線端末）から通信品質を検出する（ステップＳ７４）。抽出部４２は、新たに通信要求した無線端末１０ｂの通信品質を抽出する（ステップＳ７６）。帯域幅制御部３６は、無線端末１０ａが現在の帯域幅で通信可能か判断する（ステップＳ７８）Ｎｏの場合終了する。Ｙｅｓの場合、帯域幅制御部３６は、無線端末１０ａが優先モードか判断する（ステップＳ８０）。Ｎｏの場合、終了する。すなわち、帯域幅制御部３６は、帯域幅および単位帯域幅当りの送信電力を変更しない。ステップＳ８０においてＹｅｓの場合、図１２と同様に、帯域幅および単位帯域幅当りの送信電力の設定を行なう（ステップＳ３２）。
【００４９】
ここで、無線端末１０は、基地局装置２０との間の通信モードとして、第１通信モードと、第１通信モードより優先度の低い第２通信モードを備えている。通信モードの優先度は、例えばＱｏＳ（Quality of Service）品質、例えばベアラの優先度によって定める。例えば、通信モードの優先度としては、緊急連絡、音声通話、ストリーミングサービス、ウエブサービス等がある。実施例３では、例えばある優先度以上の通信を第１通信モード、第１通信モード以外のモードを第２通信モードとすることができる。
【００５０】
実施例３の図１５（ａ）によれば、新たに通信要求を行った無線端末１０ｂの通信品質が、圏内の１または複数の基地局装置２０と通信中の無線端末１０ａのうち最も通信品質が悪い無線端末より悪い。この場合、図１５（ｄ）のように、帯域幅制御部３６は、帯域幅を設定されていた値より狭くかつ単位帯域幅当りの送信電力を設定されていた値より大きく設定する。これにより、新たに通信要求を行った無線端末１０ｂの通信品質が悪い場合も、適切に単位帯域幅当りの送信電力を設定することができる。一方、図１６（ａ）のように、無線端末１０ｂの通信品質が最も通信品質が悪い無線端末１０ａより良い場合、図１６（ｄ）のように帯域幅制御部３６は、帯域幅および送信電力を変更しない。これにより、無線端末１０ａは、帯域幅を確保し信号の伝送レートを確保することができる。
【００５１】
また、図１８のステップＳ８０のように、無線端末１０ｂが第２通信モードの場合、帯域幅制御部３６は、帯域幅および単位帯域幅当りの送信電力を変更しない。これにより、無線端末１０ｂの通信品質が、圏内の通信中の１または複数の無線端末のうち最も通信品質が悪い無線端末より悪い場合であっても、帯域幅制御部３６は、帯域幅および単位帯域幅当りの送信電力を変更しない。基地局装置２０が送信する信号の帯域幅を変更すると、基地局装置２０と無線端末１０ａとの通信が一時途絶えることがある。実施例３では、無線端末１０ｂの通信が優先度が低い場合、基地局装置２０は、無線端末１０ｂの接続を拒否し、帯域幅制御部３６は、帯域幅および単位帯域幅当りの送信電力を変更しないことができる。
【００５２】
また、基地局装置２０は、無線端末１０ａと無線端末１０ｂとの優先度を比較し、無線端末１０ｂの優先度が高ければ、無線端末１０ｂの接続を許可してもよい。基地局装置２０は、無線端末１０ｂの優先度が低ければ、無線端末１０ｂの接続を拒否してもよい。
【実施例４】
【００５３】
実施例４は、基地局装置２０が複数の無線端末１０ｃおよび１０dと通信中に、無線端末１０dが基地局装置２０に通信終了要求した場合の例である。基地局装置２０および無線端末１０のブロック図は実施例２と同じであり説明を省略する。
【００５４】
図１９（ａ）から図１９（ｄ）は、実施例４において基地局装置２０が複数の無線端末１０ｃおよび１０ｄと通信中に、無線端末１０ｄが基地局装置２０に通信終了要求する場合の例を示す模式図である。図１９（ａ）を参照し、無線端末１０ｃおよび１０ｄが基地局装置２０と通信を行っている。無線端末１０ｃは無線端末１０ｄより基地局装置２０から遠くに位置している。図１９（ｃ）のように、帯域幅制御部３６は、無線端末１０ｃとの通信品質が確保できるように帯域幅を狭く、単位帯域幅当りの送信電力を大きく設定している。
【００５５】
図１９（ｂ）を参照し、無線端末１０ｄが基地局装置２０に通信終了要求を送信する。無線端末１０ｃの方が無線端末１０ｄより基地局装置２０から遠いため、無線端末１０ｃの通信品質は無線端末１０ｄより悪い。よって、図１９（ｄ）のように、無線端末１０ｄと基地局装置２０との接続が遮断されても、帯域幅制御部３６は、帯域幅を狭くし、単位帯域幅当りの送信電力を大きく設定したままとする。
【００５６】
図２０（ａ）から図２０（ｄ）は、実施例４において基地局装置２０が無線端末１０ｃおよび１０ｄと通信中に、無線端末１０ｄが基地局装置２０に通信終了要求する場合の例を示す別の模式図である。図２０（ａ）を参照し、無線端末１０ｃは無線端末１０ｄに比べ基地局装置２０の近くに位置している。図２０（ｃ）のように、帯域幅制御部３６は、無線端末１０ｄとの通信品質が確保できるように帯域幅を狭く、単位帯域幅当りの送信電力を大きく設定している。
【００５７】
図２０（ｂ）を参照し、無線端末１０ｄが基地局装置２０に通信終了要求を送信する。通信を終了する無線端末１０ｄの方が無線端末１０ｃより基地局装置２０から遠い。よって、図２０（ｄ）のように、帯域幅制御部３６は、無線端末１０ｃと通信品質が保てる程度に、帯域幅を広くし、単位帯域幅当りの送信電力を小さく設定する。
【００５８】
図２１（ａ）から図２１（ｄ）は、実施例４において基地局装置２０が無線端末１０ｃおよび１０ｄと通信中に、無線端末１０ｄが基地局装置２０に通信終了要求する場合の例を示すさらに別の模式図である。図２１（ａ）および図２１（ｃ）は図２０（ａ）および図２０（ｃ）と同じであり説明を省略する。
【００５９】
図２１（ｂ）を参照し、無線端末１０ｄが基地局装置２０に通信終了要求を送信する。これにより、無線端末１０ｄは基地局装置２０との通信を終了する。しかし、無線端末１０ｃは優先度の高い通信を行っている。このため、図１５（ｄ）のように、帯域幅制御部３６は、帯域幅の変更を行わない。
【００６０】
図２２は、実施例４における基地局装置２０および無線端末１０ｃおよび１０ｄのシーケンス図である。無線端末１０ｃおよび１０ｄと基地局装置２０とが通信中である（ステップＳ２８）。無線端末１０ｄは基地局装置２０に通信終了要求を送信する（ステップＳ３０）。基地局装置２０は無線端末１０ｄに通信終了の応答を送信する（ステップＳ３２）。基地局装置２０は、帯域幅および単位帯域幅当りの送信電力の設定を判断する（ステップＳ３４）。基地局装置２０は無線端末１０ｃに帯域幅を通知する（ステップＳ２０）。基地局装置２０は、設定が完了したか判断する（ステップＳ２２）。Ｎｏの場合、ステップＳ３４に戻る。ステップＳ２０においてＹｅｓの場合、基地局装置２０と無線端末１０ｃとは通信を再開する（ステップＳ７２）。
【００６１】
図２３は、図２２のステップＳ３４における基地局装置の処理を示すフローチャートである。抽出部４２は、現在接続中の複数の無線端末１０ｃおよび１０ｄ（好ましくは全ての無線端末）から通信品質を検出する（ステップＳ８４）。抽出部４２は、通信終了を要求した無線端末１０ｄの通信品質Ｙを抽出する（ステップＳ８６）。帯域幅制御部３６は、接続を継続する無線端末１０ｃ内に通信品質Ｙより悪い無線端末が存在するか判断する（ステップＳ８８）。Ｙｅｓの場合、帯域幅制御部３６は、帯域幅および単位帯域幅当りの送信電力を変更せず終了する。Ｎｏの場合、帯域幅制御部３６は、通信を継続する無線端末１０ｃ内に第１優先モードの無線端末があるか判断する（ステップＳ９０）。Ｙｅｓの場合、帯域幅制御部３６は、帯域幅および単位帯域幅当りの送信電力を変更せず終了する。Ｎｏの場合、図１２と同様に、帯域幅および単位帯域幅当りの送信電力の設定を行なう（ステップＳ３２）。
【００６２】
実施例４の図２０（ａ）の場合、新たに通信終了要求を行った無線端末１０ｄの通信品質が、圏内の通信中の複数の無線端末１０ｃのうち最も通信品質が悪い無線端末である。この場合、図２０（ｄ）のように帯域幅制御部３６は、帯域幅を設定されていた値より広くかつ単位帯域幅当りの送信電力を設定されていた値より小さく設定する。これにより、帯域幅および単位帯域幅当りの送信電力を通信を継続する無線端末に合わせることができる。一方、図１９（ａ）のように、無線端末１０ｄの通信品質が最も通信品質が悪い無線端末でない場合、図１９（ｄ）のように帯域幅制御部３６は、帯域幅および単位帯域幅当りの送信電力を変更しない。これにより、通信を継続する無線端末１０ｃの通信品質を維持することができる。
【００６３】
図２３のステップＳ９０のように、通信を継続する無線端末１０ｃが第１通信モードの場合、帯域幅制御部３６は、帯域幅および単位帯域幅当りの送信電力を変更しない。これにより、帯域幅制御部３６は、無線端末１０ｄの通信品質が、最も通信品質が悪い無線端末である場合であっても、帯域幅および単位帯域幅当りの送信電力を変更しない。これにより、優先度の高い通信において、通信が途絶えることを抑制することができる。
【００６４】
実施例１から実施例４において、基地局装置２０としてフェムト基地局、基地局装置３０としてマクロ基地局の例を説明したが、基地局装置２０および３０は、その他の基地局でもよい。実施例１から実施例４において、基地局装置３０は、基地局装置２０と同様に帯域幅と単位帯域幅当りの送信電力とを設定してもよい。実施例１から実施例４において、基地局装置３０のセルＣ０内に、１つの基地局装置２０が存在する例を示したが、例えば、複数の基地局装置２０が存在するものとしてもよい。この場合、各基地局装置２０がそれぞれ、セル間干渉を含む伝播環境を反映した受信品質に基づいて、帯域幅および単位帯域幅当りの送信電力を設定することで、システム全体として適切な設定を行うことができる。実施例１から実施例４において、設定部２８または帯域幅制御部３６は、基地局装置２０から無線端末１０に送信される信号の帯域幅および単位帯域幅当りの送信電力を設定する場合を説明した。設定部２８または帯域幅制御部３６は、無線端末１０から基地局装置２０に送信される信号の帯域幅および単位帯域幅当りの送信電力を、基地局装置２０から無線端末１０に送信される信号と連動し設定してもよい。
【００６５】
以上、本発明の好ましい実施例について詳述したが、本発明は係る特定の実施例に限定されるものではなく、特許請求の範囲に記載された本発明の要旨の範囲内において、種々の変形・変更が可能である。
【００６６】
以上、実施例１〜４を含む実施形態に関し、さらに、以下に付記を開示する。
【００６７】
付記１：無線端末と、前記無線端末と無線通信する基地局装置と、を具備し、前記基地局装置は、前記基地局装置が前記無線端末に送信する信号の帯域幅を第１帯域幅から前記第１帯域幅より狭い第２帯域幅に設定する場合、前記基地局装置が前記無線端末に送信する前記信号の単位帯域幅あたりの送信電力を第１送信電力から前記第１送信電力より大きい第２送信電力に設定し、前記帯域幅を前記第２帯域幅から前記第１帯域幅に設定する場合、前記送信電力を前記第２送信電力から前記第１送信電力に設定する設定部を備え、前記無線端末は、前記設定された帯域幅の通知を受信すると共に、前記設定された単位帯域幅当りの送信電力で送信された信号を、該帯域幅を用いて受信する受信部を備える、通信システム。
付記２：前記基地局装置は、前記無線端末の通信品質を検出する検出部を備え、前記設定部は、前記通信品質が第１基準品質より良い場合、前記第１帯域幅かつ第１送信電力に設定し、前記通信品質が第２基準品質より悪い場合、第２帯域幅かつ前記第２送信電力に設定する付記１記載の通信システム。
付記３：前記基地局装置と通信する前記無線端末が複数存在する場合、前記設定部は、最も通信品質が悪い無線端末に対応する前記帯域幅および前記送信電力に設定する付記２記載の通信システム。
付記４：通信要求を行った無線端末の通信品質が、前記基地局装置と通信中の前記無線端末のうち最も通信品質が悪い無線端末より悪い場合、前記設定部は、前記帯域幅を設定されていた帯域幅より狭くかつ前記送信電力を設定されていた送信電力より大きく設定し、前記通信要求を行った無線端末の通信品質が前記最も通信品質が悪い無線端末より良い場合、前記設定部は、前記帯域幅および前記送信電力を変更しない付記１から３のいずれか一項記載の通信システム。
付記５：前記無線端末は、第１通信モードと、前記第１通信モードより優先度の低い第２通信モードと、を備え、前記通信要求を行った無線端末が前記第２通信モードの場合、前記通信要求を行った無線端末の通信品質が、前記通信中の無線端末のうち最も通信品質が悪い無線端末より悪い場合であっても、前記設定部は、前記帯域幅および前記送信電力を変更しない付記４記載の通信システム。
付記６：通信終了要求を行った無線端末の通信品質が、前記基地局装置と通信中の無線端末のうち最も通信品質が悪い無線端末である場合、前記設定部は、前記帯域幅を設定されていた帯域幅より広くかつ前記送信電力を設定されていた送信電力より小さく設定し、前記通信終了要求を行った無線端末の通信品質が前記最も通信品質が悪い無線端末でない場合、前記設定部は、前記帯域幅および前記送信電力を変更しない付記１から３のいずれか一項記載の通信システム。
付記７：前記無線端末は、第１通信モードと、前記第１通信モードより優先度の低い第２通信モードと、を備え、前記通信終了要求を行った無線端末以外の無線端末の少なくも１つが前記第１通信モードの場合、前記通信終了要求を行った無線端末の通信品質が前記通信中の無線端末のうち最も通信品質が悪い無線端末である場合でも、前記設定部は、前記帯域幅および前記送信電力を変更しない付記６記載の通信システム。
付記８：前記基地局装置の圏内に無線端末が存在するが、前記基地局装置と通信中の無線端末は存在しない場合、前記設定部は、前記帯域幅を最小とし、前記送信電力を最大とする付記１から７のいずれか一項記載の通信システム。
付記９：前記無線端末は、前記基地局装置との通信品質を前記基地局装置に送信する送信部、を備える付記１から８のいずれか一項記載の通信システム。
付記１０：前記設定部は、前記帯域幅と前記送信電力との積が一定になるように前記帯域幅と前記送信電力とを設定する付記１から９のいずれか一項記載の通信システム。
付記１１：前記通信システムは、マクロ基地局装置とマクロ基地局装置よりエリアが狭く前記マクロ基地局装置のエリアと重なるフェムト基地局装置とを備え、前記基地局装置は、前記フェムト基地局装置である付記１から１０のいずれか一項記載の通信システム。
付記１２：無線端末と無線通信する基地局装置であって、前記基地局装置が前記無線端末に送信する信号の帯域幅を第１帯域幅から前記第１帯域幅より狭い第２帯域幅に設定する場合、前記基地局装置が前記無線端末に送信する前記信号の単位帯域幅あたりの送信電力を第１送信電力から前記第１送信電力より大きい第２送信電力に設定し、前記帯域幅を前記第２帯域幅から前記第１帯域幅に設定する場合、前記送信電力を前記第２送信電力から前記第１送信電力に設定する設定部と、前記設定された帯域幅を前記無線端末に通知すると共に、該帯域幅を用いて前記設定された単位帯域幅あたりの送信電力で信号を送信する送信部と、を具備する基地局装置。
付記１３：無線端末と、前記無線端末と無線通信する基地局装置を具備する通信システムの制御方法であって、前記基地局装置が前記無線端末に送信する信号の帯域幅を第１帯域幅から前記第１帯域幅より狭い第２帯域幅に設定する場合、前記基地局装置が前記無線端末に送信する前記信号の単位帯域幅あたりの送信電力を第１送信電力から前記第１送信電力より大きい第２送信電力に設定し、前記帯域幅を前記第２帯域幅から前記第１帯域幅に設定する場合、前記送信電力を前記第２送信電力から前記第１送信電力に設定するステップと、前記無線端末は、前記設定された帯域幅の通知を受信すると共に、前記設定された単位帯域幅当りの送信電力で送信された信号を、該帯域幅を用いて受信するステップと、
を含む通信システムの制御方法。
【符号の説明】
【００６８】
１０          無線端末
１２          受信部
１４          送信部
２０          基地局装置
２２          送信部
２４          受信部
２６          検出部
２８          設定部
３０          基地局装置
【図１】
0005423499.tif 000002
【図２】
0005423499.tif 000003
【図３】
0005423499.tif 000004
【図４】
0005423499.tif 000005
【図５】
0005423499.tif 000006
【図６】
0005423499.tif 000007
【図７】
0005423499.tif 000008
【図８】
0005423499.tif 000009
【図９】
0005423499.tif 000010
【図１０】
0005423499.tif 000011
【図１１】
0005423499.tif 000012
【図１２】
0005423499.tif 000013
【図１３】
0005423499.tif 000014
【図１４】
0005423499.tif 000015
【図１５】
0005423499.tif 000016
【図１６】
0005423499.tif 000017
【図１７】
0005423499.tif 000018
【図１８】
0005423499.tif 000019
【図１９】
0005423499.tif 000020
【図２０】
0005423499.tif 000021
【図２１】
0005423499.tif 000022
【図２２】
0005423499.tif 000023
【図２３】
0005423499.tif 000024